(57)【要約】      （修正有）【課題】爪先からボールまでの垂直方向の距離と体の中心軸から見たボールの位置、両足爪先の位置を正確に測定でき、ストレスを感じず試行錯誤しながら反復練習することができる練習用具を提供する。【解決手段】ゴルフボール＆スタンス位置測定練習用具は、アドレス時にスタンスの位置を測定する目盛とゴルフボールの半円を波形に縁取ったベース板１と、ベース板１の蟻溝６に対し、左右方向にスライド可能に取付けられた受具２と、受具２に取付けられ、前後方向にスライド可能な縦目盛が刻まれた垂直測定板３とを備え、ゴルフ練習場等での打撃練習で、良いショットを打った時と満足行かないショットを打った時のスタンスの位置やボールの位置を数値で客観的に知ることができ、短期間で効率良く安定したスタンスとボールポジションを体得できる。【選択図】図１
0003232307.tif 000002
【実用新案登録請求の範囲】
【請求項１】
アドレス時にスタンスの位置を測定するための目盛とゴルフボールの半円を波形に縁取ったベース板１の蟻溝に対し、左右ｘ軸方向にスライドする受具２を取付け、前記受具２の枠に前後ｙ軸方向にスライド可能な縦目盛が刻まれた垂直測定板３を取り付けることによって、前記ベース板１に設けた左右振分目盛の中央０を基点に、前記垂直測定板３の先端に置かれたゴルフボールの位置を測定することを特徴としたゴルフ練習用具。
【請求項２】
前記ベース板１の左右振分目盛の中央に位置する、ボールポジション測定・指定箇所で、前記受具２に組み付けた前記垂直測定板３を前後・左右にスライドさせ、指定するボールとの距離数値を縦目盛と横目盛に合わせ、前記垂直測定板３の先端のＵ字形状の溝にボールを置くだけで、最適なボールポジションを決められることを特徴としたゴルフ練習用具。
【請求項３】
前記垂直測定板３の先端手前に横目盛が刻まれた飛球指針板４を右打ち、左打に応じて向きを変え取付け、アドレス際にクラブヘッドをボールから離して構えた時のボールとフェースの適正な距離や、テークバック時の適正なヘッド移動距離を測定することを特徴としたゴルフ練習用具。
【請求項４】
前記ベース板１の表面中段には、水平方向に蟻溝が刻まれており、受具２とポインター５ａ、５ｂ、５ｃが溝に取付けられ、下段には中心から左右振分目盛がｃｍ単位で刻まれており、上段にはゴルフボールサイズ（４２．６７ｍｍ）の半円を波形に縁取った形状となっており、ポインターは目盛位置と波形に模ったボールの位置を同時に示すことを特徴としたゴルフ練習用具。
【考案の詳細な説明】
【技術分野】
【０００１】  本考案はゴルフの練習において、プレーヤーの体型と使用するゴルフクラブの種類により、個人差が生じるスタンス（両足の位置・幅）とボールポジション（爪先からボールまでの距離）、グリップの位置などを測定する機能を備えた練習用具で、何度も繰り返し打撃することにより、自分のスイングに最適なスタンスとボールとの距離感を養い、最終的に目視でも選択したクラブ毎に適切なスタンスとボールポジションを決められるようになることを目的とした練習用具である。
【背景技術】
【０００２】  ゴルフ練習で飛球方向線を示す用具を使い、その用具に平行にスタンスをつくる練習用具として、下記の特許文献が提案されている。
【先行技術文献】
【特許文献】
【０００３】  特許文献１の練習用具は、ゴルフボールの飛球方向指示体１に縦方向指示体２を直交させビスで固定し、その縦方向指示体２の前方にボールをセットし、足元の飛球方向指示体１の後ろに両足の爪先を置き、スタンスを決めることができるようにしたものである。
ところが、爪先からボールまでの縦方向の距離、体の中心軸を基準にした両足のスタンス位置と幅を正確に測定することはできない。また、打撃練習はショットの打感が消えないうちにボールポジションやスタンスの位置を変えるなどの気付いた欠点を修正して打ち直しをしたいものだが、一球一球、縦方向指示体を前後・左右に動かすなどの試行錯誤ができず、更にクラブの種類を変えた際も練習用具の調整に時間がかかり効率の良い練習は望めない。【０００４】  特許文献２の練習用具は、縦方向に設置された縦方向指示体（スティック）１本に、長さが異なる横方向の指示体（スティック）３本を十字にジョイントさせ、ボールに近い位置でジョイントした指示体で打球の飛球線の方向を示す。足元の指示体はジョイント角度を変えられ、スタンスの幅とオープン角度を確認することができる。縦方向の指示体の前にボールを置き、打球を飛ばす飛球線を確認しつつ、両足の前後位置とスタンスをつくるものである。
ところが、爪先からボールまでの縦方向の距離、体の中心軸を基準にした両足のスタンス位置と幅を正確に測定することはできない。また、打撃練習はショットの打感が消えないうちにボールポジションやスタンスの位置を変えるなどの気付いた欠点を修正して打ち直しをしたいものだが、一球一球、ジョイントされた各指示体を前後・左右に動かすなどの試行錯誤ができず、更にクラブの種類を変えた際も練習用具の調整に時間がかかり効率の良い練習は望めない。【０００５】  特許文献３の練習用具は、Ｌ字状に設置した縦方向の棒状部材と横方向の棒状部材に移動可能なレーザー光出射装置を取付け、各々の部材に刻まれた目盛を見て使用するクラブに合った適正な位置にレーザー光出射装置を合わせ、出射されたレーザー光が交差する点にボールを設置し、横棒部材に添ってスタンス置き、飛球線方向のレーザー光を見ながらアドレスを矯正するものである。
ところが、爪先からボールまでの縦方向の距離、体の中心軸を基準にした両足のスタンス位置と幅を正確に測定することはできない。また、打撃練習はショットの打感が消えないうちにボールポジションやスタンスの位置を変えるなどの気付いた欠点を修正して打ち直しをしたいものだが、一球一球、レーザー出射装置を前後・左右に動かすなどの試行錯誤ができず、更にクラブの種類を変えた際も練習用具の調整に時間がかかり効率の良い練習は望めない。
【特許文献１】特開平１０−９４６２９号公報
【特許文献２】特開２０１３−２４８０９５号公報
【特許文献３】特開２０１３−１９２７５４号公報
【考案の概要】
【考案が解決しようとする課題】
【０００６】  上記従来のゴルフ練習用具は飛球方向を示す横方向の指示体にゴルファーの身体を平行に置き、設置したボールから適当な距離を取った位置にスタンスを矯正するものである。しかし、初心者ゴルファーの悩みは「適当な距離」が分からないことにある。スタンスはボールを目標地点へ正確に飛ばす上で最も重要な習得事項であり、自身の体型と使うクラブの種類によっても微妙に異なる。爪先からボールまでの垂直方向の距離と体の中心軸から見たボールの位置、並び両足爪先の位置を正確に測定でき、且つストレスを感じず試行錯誤しながら反復練習することができる練習用具の入手が課題であった。
【課題を解決するための手段】
【０００７】  そのため、本考案はスタンス幅を測定するための目盛があり、ゴルフボールの半円を波形に縁取ったベース板１に対し、左右（水平方向）に動く受具２を取付け、前記受具２の枠に垂直測定板３を組み込むだけの単純な構造とし、持ち運びも便利で組立も簡単な練習用具とした。【０００８】  使い方は前記垂直測定板３の先端Ｕ字形状部分にボールをセットし、ボールを打つ前にアドレスで決めた両足爪先の位置、グリップの位置、ボールと爪先との距離を目盛で確認した上でボールを打つ。【０００９】  特に初心者はボールが目標地点へ正しく、安定して打てるようになるまで、スタンスの位置とグリップの位置を前記ベース板１の目盛で確認し、ボールと爪先との距離は前記垂直測定板３を使い確認し、測定と打撃を繰り返し微調整しながら、最終的にクラブの種類毎にベストなスタンス位置とボールポジションを数値で理解することを目的としたゴルフ練習用具を提供する。【００１０】  既に自分に合ったボールポジションを数値で理解している練習者は、前記ベース板１と前記垂直測定板３が平面直角交差する足元の測定箇所で、使用するクラブに適したｙ軸とｘ軸の数値を目盛に合わせることで、ベストポジションにボールを置く事ができ、再現性の高い安定した打撃練習を効率良くできる。
【考案の効果】
【００１１】  上述のように、本考案のゴルフボール＆スタンス位置測定練習用具は初心者ゴルファーがゴルフ練習場や自宅で打撃練習をする際に利用することで、ドライバーをはじめ、各種クラブ毎に爪先からボールまでとの適切な距離とスタンスの位置と幅を見付け出すことができ、それらの位置を数値で客観的に理解できるようになる。また、反復練習で正確なショットを安定的に打てるようになると、スタンスとボールポジションをイメージで捉える感覚が養われ、ゴルフ場でプレーする際にも、ボールに対し自然に正しいスタンスを取ることが可能となる。
【図面の簡単な説明】
【００１２】
【図１】本考案のゴルフボール＆スタンス位置測定練習用具の（Ａ）は平面図、（Ｂ）は正面図、（Ｃ）は側面図である。
【図２】図１のＡ−Ｂ−Ｃ−Ｄ線の拡大平面図であり、本測定練習用具のベース板１と垂直測定板３が平面直交するボールポジション測定・指定箇所を示す拡大図である。
【図３】本測定練習用具の垂直測定板３の先端に取付ける、飛球指針板４の平面図である。
【考案を実施するための形態】
【００１３】  以下、本考案のゴルフボール＆スタンス位置測定練習用具の実施形態を図面に基づいて詳細に説明する。
【００１４】  この練習用具は、図１に示すようにベース板１、受具２、垂直測定板３、飛球指針板４のパーツからなり、組み合わせて使用する。
各パーツは軽金属製や合成樹脂製並び木製の剛性率の高く軽い部材を使用する。
【００１５】  ベース板１には水平方向に蟻溝が彫られており、垂直測定板３を左右に移動させるための受具２と爪先やグリップの位置を示すポインター５が組み付けられる。表面の下段には中心から左右振分目盛がｃｍ単位で刻まれており、上段にはボール１個分（サイズ４２．６７ｍｍ）の半円を波形に縁取った形状となっており、ポインターの位置は目盛と模ったボールの位置（何個分の目安）で示される。
【００１６】  垂直測定板３の幅はゴルフボールの直径（４２．６７ｍｍ）を考慮し５ｃｍ程度とし、長さは最大でも１００ｃｍ程度が望ましい。
先端にはボールｂをセットし易くするためにＵ字形状とする。
目盛は先端を０起点にｃｍ単位で刻み、数字は見易い大きさとする。
体の回転軸の指標として、青と赤のラインを長辺に沿って両端に２本引いてある。また、前後にスライドさせるために上部と下部にはクラブの先を引っかける突起がある。
【００１７】  飛球指針板４は図３に示すように矢印の形状をしており、垂直測定板３の先端から１５ｃｍから２０ｃｍの間に取り付けることが望ましい。
矢印の向きは左右差し替えにより変えられる。また、ｃｍ単位の目盛が刻まれており、ボールに対しクラブヘッドをセットする位置を測定できる。
【００１８】  ベース板１と垂直測定板３並び飛球指針板４に刻む目盛の単位は基本センチメートル（ｃｍ）とするが、インチ単位でも可能とする。
【００１９】  上記４つのパーツは軽量で厚みも少ない板状のため、ショルダーケース等に入れて持ち運びができ、ゴルフ練習場でドライバー等の工具を使わずに簡単に組合せするだけで完成させることができる。
【００２０】（打撃練習時の利用形態）
練習者はクラブを選択しゴルフボール＆スタンス位置測定練習用具のベース板１に正対し、体の中心軸を左右振分目盛の中央０基点に合わせるように立ち、垂直測定板３を手前に引いた状態で選択したクラブを２〜３回程度素振りして、確り振れる感触の良いスタンスの幅を決め、その両足爪先位置にポインター５ａ並び５ｃをセットし目盛の数値を確認する。
【００２１】  同じくグリップの位置も体の中心軸と左足の間に見つけポインター５ｂをセットし目盛の数値を確認する。（右打ちの場合）
【００２２】  両足のスタンスとグリップの位置が決まったら、次は体の正面に置くボールポジションを決めるが、ボールをセットする垂直測定板３の先端を意識して左右（水平）・前後（垂直）方向にスライドさせ、最適な位置と思われる場所にボールをセットする。
図２は垂直測定板３の縦目盛がベース板１の左右振分目盛と直交するボールポジション測定・指定箇所である。
垂直測定板３の縦目盛はボールの中心から爪先までのｙ軸の距離を示し、ｘ軸の左右振分目盛は、ボールの右側面（右打ちの場合）と中央基点の距離を示している。
【００２３】  ボールをセットしたら、垂直測定板３の突起部分にクラブの先を引っかけ、足元の方向にスライドさせ、ショットする際に誤って垂直測定板３の先端を打ち壊すことのないように、ボールとの間隔を十分にとるように注意する。
【００２４】  垂直測定板３の先端と置かれたボールの間隔が十分に保たれていることを確認した後、改めてベース板１にセットしたポインター５ａと５ｃの位置に左右の爪先をセットし、グリップ位置のポインター５ｂも意識してアドレスに入る。尚、ドライバーなどアドレスの際クラブヘッドをボールから離して構えた時の距離や、テークバック時ヘッドを平行移動させる適切な距離を飛球指針板４の目盛により測定することができる。
また、垂直測定板３の縦ラインを、アドレス時に身体の中心線に合わせることで軸回のスイングを養うことができる。
【００２５】  スイングして打出したボールがスライスした時や、フックした時など目標方向に正確に飛ばなかった場合は、気付いた欠点を修正するために、上述の通り垂直測定板３を移動させボールの位置を変えてみたり、スタンスの位置を変えてみたり、試行錯誤・測定を繰返しながら、使用するクラブに合った最適なアドレスを体得する。
【符号の説明】
【００２６】  ｂ  ボール
Ｌ  左足
Ｒ  右足
１  ベース板１
２  受具２
３  垂直測定板３
４  飛球指針板４
５  ポインター５ａ／５ｂ／５ｃ
６  蟻溝
７  突起
８  滑り部材
９  目盛
１０  ボールポジション測定・指定箇所
１１  ゴルフボール波形状
１２  赤ライン
１３  青ライン
【図１】
0003232307.tif 000003
【図２】
0003232307.tif 000004
【図３】
0003232307.tif 000005
【手続補正書】
【提出日】令和3年2月4日(2021.2.4)
【手続補正１】
【補正対象書類名】実用新案登録請求の範囲
【補正対象項目名】全文
【補正方法】変更
【補正の内容】
【実用新案登録請求の範囲】
【請求項１】
アドレス時にスタンスの位置を測定するための目盛とゴルフボールの半円を波形に縁取ったベース板１の蟻溝に対し、左右ｘ軸方向にスライドする受具２を取付け、前記受具２の枠に前後ｙ軸方向にスライド可能な縦目盛が刻まれた垂直測定板３を取り付けることによって、前記ベース板１に設けた左右振分目盛の中央０を基点に、前記垂直測定板３の先端に置かれたゴルフボールの位置を測定することを特徴としたゴルフ練習用具。
【請求項２】
ベース板１の左右振分目盛の中央に位置する、ボールポジション測定・指定箇所で、受具２に組み付けた垂直測定板３を前後・左右にスライドさせ、指定するボールとの距離数値を縦目盛と横目盛に合わせ、前記垂直測定板３の先端のＵ字形状の溝にボールを置くだけで、最適なボールポジションを決められることを特徴とした請求項１に記載のゴルフ練習用具。
【請求項３】
垂直測定板３の先端手前に横目盛が刻まれた飛球指針板４を右打ち、左打に応じて向きを変え取付け、アドレス際にクラブヘッドをボールから離して構えた時のボールとフェースの適正な距離や、テークバック時の適正なヘッド移動距離を測定することを特徴とした請求項１又は２に記載のゴルフ練習用具。
【請求項４】
ベース板１の表面中段には、水平方向に蟻溝が刻まれており、受具２とポインター５ａ、５ｂ、５ｃが溝に取付けられ、下段には中心から左右振分目盛がｃｍ単位で刻まれており、上段にはゴルフボールサイズ（４２．６７ｍｍ）の半円を波形に縁取った形状となっており、ポインターは目盛位置と波形に模ったボールの位置を同時に示すことを特徴とした請求項１〜３のいずれか一項に記載のゴルフ練習用具。